(57)【要約】【課題】文字認識が表題として正しく認識できない画像データについて、認識した文字情報を用いて表題の生成を可能とする。【解決手段】画像データを取得する画像取得部１１と、画像取得部１１で取得された画像データを記憶する記憶部１２と、記憶部１２に記憶された画像データの中に含まれる文字情報を認識する文字情報認識部１３と、文字情報認識部１３で認識された文字情報の中から表題候補の文字列群を含む複数の文字列群を抽出する文字列群抽出部１４と、抽出された複数の文字列群を表示する表示部１５と、表示部１５に表示された複数の文字列群を用いて画像データの表題候補の指示入力を行う指示入力部１６と、指示入力部１６からの指示入力に基づいて表示部１５に表題候補の文字列群を表示制御する制御部１７と、を備えている。【選択図】図１
2017068355.tif 000002
【特許請求の範囲】
【請求項１】
画像データを取得する画像取得部と、
前記画像取得部で取得された前記画像データを記憶する記憶部と、
前記記憶部に記憶された前記画像データの中に含まれる文字情報を認識する文字情報認識部と、
前記文字情報認識部で認識された前記文字情報の中から表題候補の文字列群を含む複数の文字列群を抽出する文字列群抽出部と、
抽出された前記複数の文字列群を表示する表示部と、
前記表示部に表示された前記複数の文字列群を用いて前記画像データの表題候補の指示入力を行う指示入力部と、
前記指示入力部からの指示入力に基づいて前記表示部に前記表題候補の文字列群を表示制御する制御部と、
を備えたことを特徴とする画像処理装置。
【請求項２】
請求項１に記載の画像処理装置であって、
前記制御部は、前記指示入力部により前記複数の文字列群の中から前記表題候補の文字列群を除く他の文字列群が指示された場合には、指示された前記文字列群を前記表題候補の文字列群に結合して前記表示部に表示することを特徴とする画像処理装置。
【請求項３】
請求項１に記載の画像処理装置であって、
前記制御部は、前記指示入力部により前記表題候補の複数の文字列群の中から１以上の文字列群が指示された場合には、指示された前記１以上の文字列群を削除し、削除後に残った文字列群を前記表題候補の文字列群として前記表示部に表示することを特徴とする画像処理装置。
【請求項４】
請求項１に記載の画像処理装置であって、
前記制御部は、前記指示入力部により前記複数の文字列群の中から１または複数の文字列群の領域が指定された場合には、指定された領域の前記１または複数の文字列群を結合して前記表題候補の文字列群として前記表示部に表示することを特徴とする画像処理装置。
【請求項５】
請求項１から請求項４までのいずれか一つに記載の画像処理装置であって、
前記記憶部には、前記指示入力部から指示入力されて前記表示部に表示された表題候補の文字列群が前記画像データの表題として対応付けられて記憶されることを特徴とする画像処理装置。
【請求項６】
請求項１に記載の画像処理装置により実行される画像処理方法であって、
前記画像取得部により画像データを取得するステップと、
前記画像取得部で取得された前記画像データを前記記憶部に記憶するステップと、
前記記憶部に記憶された前記画像データの中に含まれる文字情報を前記文字情報認識部により認識するステップと、
前記文字情報認識部で認識された前記文字情報の中から表題候補の文字列群を含む複数の文字列群を前記文字列群抽出部により抽出するステップと、
抽出された前記複数の文字列群を前記表示部に表示するステップと、
前記指示入力部により前記複数の文字列群の中から前記表題候補の文字列群を除く他の文字列群が指示された場合には、指示された前記文字列群を前記表題候補の文字列群に結合して前記表示部に表示するステップと、を含むことを特徴とする画像処理方法。
【請求項７】
請求項１に記載の画像処理装置により実行される画像処理方法であって、
前記画像取得部により画像データを取得するステップと、
前記画像取得部で取得された前記画像データを前記記憶部に記憶するステップと、
前記記憶部に記憶された前記画像データの中に含まれる文字情報を前記文字情報認識部により認識するステップと、
前記文字情報認識部で認識された前記文字情報の中から表題候補の文字列群を含む複数の文字列群を前記文字列群抽出部により抽出するステップと、
抽出された前記複数の文字列群を前記表示部に表示するステップと、
前記指示入力部により前記表題候補の複数の文字列群の中から１以上の文字列群が指示された場合には、指示された前記１以上の文字列群を削除し、削除後に残った文字列群を前記表題候補の文字列群として前記表示部に表示するステップと、を含むことを特徴とする画像処理方法。
【請求項８】
請求項１に記載の画像処理装置により実行される画像処理方法であって、
前記画像取得部により画像データを取得するステップと、
前記画像取得部で取得された前記画像データを前記記憶部に記憶するステップと、
前記記憶部に記憶された前記画像データの中に含まれる文字情報を前記文字情報認識部により認識するステップと、
前記文字情報認識部で認識された前記文字情報の中から表題候補の文字列群を含む複数の文字列群を前記文字列群抽出部により抽出するステップと、
抽出された前記複数の文字列群を前記表示部に表示するステップと、
前記指示入力部により前記複数の文字列群の中から１または複数の文字列群の領域が指定された場合には、指定された領域の前記１または複数の文字列群を結合して前記表題候補の文字列群として前記表示部に表示するステップと、を含むことを特徴とする画像処理方法。
【発明の詳細な説明】
【技術分野】
【０００１】
本発明は、取得した画像データに付与する表題（ファイル名）の作成が容易な画像処理装置及び画像処理方法に関する。
【背景技術】
【０００２】
従来から、取得した画像データにファイル名を付与するファイル管理装置等が開示されている（例えば、特許文献１参照）。
【０００３】
特許文献１には、原稿の画像を取得する画像取得部と、前記原稿の画像を記憶する画像記憶部と、前記画像記憶部に記憶された原稿の画像から前記原稿の所属を示すページ情報を抽出するページ情報抽出部と、前記ページ情報抽出部の抽出したページ情報に従って前記原稿の画像のファイル名を付与するファイル名付与部と、を備えるファイル管理装置が記載されている。
【先行技術文献】
【特許文献】
【０００４】
【特許文献１】特開２００６−２５２４５５号公報
【発明の概要】
【発明が解決しようとする課題】
【０００５】
特許文献１に記載のファイル管理装置は、画像データの中の文字を文字認識した結果に基づき、先頭文字やセンタリング文字列を見出しとして判断し表題としている。
【０００６】
しかし、画像データによっては、見出し文字列の特定に失敗する場合がある。また、見出しとして判断した文字列の文字間隔が大きい場合や、２行以上に渡る文字列の場合には、一連の文字列として認識できない。そのため、このような場合には、表題として認識すべき文字列の一部の文字列のみが抽出され、ユーザーの所望する文字列の表題を取得することができないといった問題があった。
【０００７】
本発明はかかる問題点を解決すべく創案されたもので、その目的は、文字認識が表題として正しく認識できない画像データについて、認識した文字情報を用いて表題の生成が可能な画像処理装置及び画像処理方法を提供することにある。
【課題を解決するための手段】
【０００８】
上記課題を解決するため、本発明の画像処理装置は、画像データを取得する画像取得部と、前記画像取得部で取得された前記画像データを記憶する記憶部と、前記記憶部に記憶された前記画像データの中に含まれる文字情報を認識する文字情報認識部と、前記文字情報認識部で認識された前記文字情報の中から表題候補の文字列群を含む複数の文字列群を抽出する文字列群抽出部と、抽出された前記複数の文字列群を表示する表示部と、前記表示部に表示された前記複数の文字列群を用いて前記画像データの表題候補の指示入力を行う指示入力部と、前記指示入力部からの指示入力に基づいて前記表示部に前記表題候補の文字列群を表示制御する制御部と、を備えたことを特徴としている。
【０００９】
具体的に説明すると、本発明に係る画像処理装置では、前記制御部は、前記指示入力部により前記複数の文字列群の中から前記表題候補の文字列群を除く他の文字列群が指示された場合には、指示された前記文字列群を前記表題候補の文字列群に結合して前記表示部に表示する構成としてもよい。
【００１０】
また、本発明の画像処理装置では、前記制御部は、前記指示入力部により前記表題候補の複数の文字列群の中から１以上の文字列群が指示された場合には、指示された前記１以上の文字列群を削除し、削除後に残った文字列群を前記表題候補の文字列群として前記表示部に表示する構成としてもよい。
【００１１】
また、本発明の画像処理装置では、前記制御部は、前記指示入力部により前記複数の文字列群の中から１または複数の文字列群の領域が指定された場合には、指定された領域の前記１または複数の文字列群を結合して前記表題候補の文字列群として前記表示部に表示する構成としてもよい。
【００１２】
また、本発明の画像処理装置では、前記記憶部には、前記指示入力部から指示入力されて前記表示部に表示された表題候補の文字列群が前記画像データの表題として対応付けられて記憶される構成としてもよい。
【００１３】
また、本発明の画像処理方法は、上記構成の画像処理装置により実行される画像処理方法であって、前記画像取得部により画像データを取得するステップと、前記画像取得部で取得された前記画像データを前記記憶部に記憶するステップと、前記記憶部に記憶された前記画像データの中に含まれる文字情報を前記文字情報認識部により認識するステップと、前記文字情報認識部で認識された前記文字情報の中から表題候補の文字列群を含む複数の文字列群を前記文字列群抽出部により抽出するステップと、抽出された前記複数の文字列群を前記表示部に表示するステップと、前記指示入力部により、前記複数の文字列群の中から前記表題候補の文字列群を除く他の文字列群が指示された場合には、指示された前記文字列群を前記表題候補の文字列群に結合して前記表示部に表示するステップと、を含む構成としている。
【００１４】
また、本発明の画像処理方法は、上記各構成の画像処理装置により実行される画像処理方法であって、前記画像取得部により画像データを取得するステップと、前記画像取得部で取得された前記画像データを前記記憶部に記憶するステップと、前記記憶部に記憶された前記画像データの中に含まれる文字情報を前記文字情報認識部により認識するステップと、前記文字情報認識部で認識された前記文字情報の中から表題候補の文字列群を含む複数の文字列群を前記文字列群抽出部により抽出するステップと、抽出された前記複数の文字列群を前記表示部に表示するステップと、前記指示入力部により、前記表題候補の複数の文字列群の中から１以上の文字列群が指示された場合には、指示された前記１以上の文字列群を削除し、削除後に残った文字列群を前記表題候補の文字列群として前記表示部に表示するステップと、を含む構成としている。
【００１５】
また、本発明の画像処理方法は、上記構成の画像処理装置により実行される画像処理方法であって、前記画像取得部により画像データを取得するステップと、前記画像取得部で取得された前記画像データを前記記憶部に記憶するステップと、前記記憶部に記憶された前記画像データの中に含まれる文字情報を前記文字情報認識部により認識するステップと、前記文字情報認識部で認識された前記文字情報の中から表題候補の文字列群を含む複数の文字列群を前記文字列群抽出部により抽出するステップと、抽出された前記複数の文字列群を前記表示部に表示するステップと、前記指示入力部により、前記複数の文字列群の中から１または複数の文字列群の領域が指定された場合には、指定された領域の前記１または複数の文字列群を結合して前記表題候補の文字列群として前記表示部に表示するステップと、を含む構成としている。
【発明の効果】
【００１６】
本発明によれば、文字認識が表題として正しく認識できない画像データであっても、認識した文字列群を用いて、ユーザーの所望する表題を簡単に作成することができる。
【図面の簡単な説明】
【００１７】
【図１】本発明の実施の形態に係る画像処理装置の機能ブロック図である。
【図２Ａ】実施の形態に係る画像処理装置の表題作成処理動作を示すフローチャートである。
【図２Ｂ】実施の形態に係る画像処理装置の表題作成処理動作を示すフローチャートである。
【図３Ａ】実施形態１の処理動作における表題作成処理の編集画面例を示す説明図である。
【図３Ｂ】実施形態１の処理動作における表題作成処理の編集画面例を示す説明図である。
【図４Ａ】実施形態２の処理動作における表題作成処理の編集画面例を示す説明図である。
【図４Ｂ】実施形態２の処理動作における表題作成処理の編集画面例を示す説明図である。
【図５Ａ】実施形態３の処理動作における表題作成処理の編集画面例を示す説明図である。
【図５Ｂ】実施形態３の処理動作における表題作成処理の編集画面例を示す説明図である。
【図５Ｃ】実施形態３の処理動作における表題作成処理の編集画面例を示す説明図である。
【発明を実施するための形態】
【００１８】
以下、本発明の実施の形態について、図面を参照して説明する。
【００１９】
図１は、本発明の実施の形態に係る画像処理装置の機能ブロック図である。
【００２０】
この画像処理装置１は、画像データを取得する画像取得部１１と、画像取得部１１で取得された画像データを記憶する記憶部１２と、記憶部１２に記憶された画像データの中に含まれる文字情報を認識する文字情報認識部１３と、文字情報認識部１３で認識された文字情報の中から表題候補の文字列群を含む複数の文字列群を抽出する文字列群抽出部１４と、抽出された複数の文字列群を表示する表示部１５と、表示部１５に表示された複数の文字列群を用いて画像データの表題候補の指示入力を行う指示入力部１６と、指示入力部１６からの指示入力に基づいて表示部１５に表題候補の文字列群を表示制御する制御部１７と、を備えている。
【００２１】
画像取得部１１は、例えば本実施の形態の画像処理装置１を複写機、複合機、ファクシミリ装置等の画像形成装置に搭載した場合には、原稿を読み取るスキャナー部が画像取得部１１に相当する。また、本実施の形態の画像処理装置１をカメラ付き携帯端末に搭載した場合には、カメラが画像取得部１１に相当する。さらに、本実施の形態の画像処理装置１をインターネットやイントラネット等のネットワークに接続可能な機器に搭載した場合には、ネットワークを介して画像データを取得する取得部が画像取得部１１に相当する。
【００２２】
文字情報認識部１３は、本実施の形態では光学式文字読取装置（ＯＣＲ）であり、取得した画像データの中から文字情報を読み取ってデジタルの文字データ（テキストデータ等）に変換する。
【００２３】
文字列群抽出部１４は、文字認識された文字情報の中から、例えばタイトル部分、特定の記号、領域の特徴、文字の大きさ等に基づいて、表題候補とする複数の文字列群を抽出する。なお、このような文字列群の抽出方法としては、従来から種々の方法が提案されており、本実施の形態においてもそれらの方法を用いることができる。
【００２４】
表示部１５は、本実施の形態では、液晶パネルの上に指示入力部１６であるタッチパネルシートを貼り付けたタッチパネル方式の表示部であり、ユーザーが指やタッチペン等を用いて画面上にタッチすることで、文字や領域の指定、変更、削除等、各種の操作入力を行うことができる。なお、指示入力部１６については、タッチパネルシートの周辺に配置されたハードキー等も含めて構成してもよい。
【００２５】
記憶部１２は、例えば、フラッシュメモリ、ＥＥＰＲＯＭ、ＨＤＤ、ＭＲＡＭ（磁気抵抗メモリ）、ＦｅＲＡＭ（強誘電体メモリ）、または、ＯＵＭ等の不揮発性の記憶媒体により構成されている。この記憶部１２には、画像取得部１１で取得された画像データ（画像情報及び文字情報）の他、文字列群抽出部１４により抽出された表題候補となる複数の文字列群のデータ、及び指示入力部１６による指示操作により決定（確定）された最終表題の文字列データ等が、画像データに対応付けられて記憶されている。ただし、表題候補となる複数の文字列群のデータは、最終表題の文字列データが決定（確定）した場合には、記憶部１２から削除される。
【００２６】
制御部１７は、指示入力部１６からの指示入力に基づき、表示部１５に表示された表題候補の文字列群を用いて、ユーザーの所望する表題の作成処理を実行する。
【００２７】
次に、上記構成の画像処理装置１を用いて表題を作成する処理動作の全体的な流れについて、図２Ａ及び図２Ｂに示す表題作成処理動作のフローチャートを参照して説明する。
【００２８】
画像取得部１１により取得した画像データＡは記憶部１２の所定のエリアに記憶される。文字情報認識部１３は、記憶部１２に記憶された画像データＡの中に含まれる文字情報を認識する（ステップＳ１）。
【００２９】
文字列群抽出部１４は、文字情報認識部１３で認識された文字情報の中から表題（以下、ファイル名という。）候補となる文字列群を抽出する（ステップＳ２）。
【００３０】
制御部１７は、抽出された文字列群の数、すなわち領域数を確認する（ステップＳ３）。その結果、領域数が０である場合（すなわち、文字列群の抽出に失敗した場合）には、予めデフォルトとして設定されている既定文字列（例えば日時等）をファイル名候補に設定し（ステップＳ４）、表示部１５にファイル名候補選択画面として表示する（ステップＳ５）。
【００３１】
この表示部１５に表示されたファイル名候補（この場合は、既定文字列）を確認したユーザーが、表示画面の任意の文字エリアにタッチすると（ステップＳ６でＹｅｓと判断されると）、文字列群抽出部１４は、そのタッチエリアをヒントとして表題候補となる文字列群を再抽出し（ステップＳ７）、ステップＳ３の処理に戻る。
【００３２】
一方、表示画面の任意のエリアがタッチされることなく（ステップＳ６でＮｏ）、例えば表示画面に表示されている「確定」ボタンが押されると（ステップＳ８でＹｅｓ）、制御部１７は、表示部１５に表示されているファイル名候補の既定文字列をファイル名として設定する（ステップＳ２１）。すなわち、既定文字列のデータをファイル名として、画像データＡと対応付けて記憶部１２に記憶する。
【００３３】
一方、ステップＳ３に戻って、抽出された文字列群の数、すなわち領域数が１である場合には、抽出された１領域をファイル名候補に設定し（ステップＳ９）、表示部１５にファイル名候補選択画面として表示する（ステップＳ１１）。また、抽出された文字列群の数、すなわち領域数が２以上である場合には、抽出された２以上の領域の文字列群を、その単語情報及びそれぞれの位置情報から推定した順に結合した結果をファイル名候補に設定し（ステップＳ１０）、表示部１５にファイル名候補選択画面として表示する（ステップＳ１１）。
【００３４】
次に、制御部１７は、表示部１５の表示画面の下に表示されている「ファイル名の編集」ボタンまたは「確定」ボタンのいずれかが押されたか否か（ステップＳ１２，Ｓ１３）、若しくは表示画面に表示されているファイル名候補の領域が選択（タッチ）されたか否か（ステップＳ１４）、を監視する。
【００３５】
その結果、「ファイル名の編集」ボタンが押された場合（ステップＳ１２でＹｅｓと判断された場合）には、ファイル名の編集処理に移行する（ステップＳ２２）。この場合の編集処理は、例えばキーボード等を用いてユーザーが直接ファイル名を入力する従来の処理であり、本発明に関連する処理ではない。
【００３６】
一方、「確定」ボタンが押された場合（ステップＳ１３でＹｅｓと判断された場合）には、表示部１５に表示されているファイル名候補をファイル名として設定し（ステップＳ２１）、画像データＡと対応付けて記憶部１２に記憶する。
【００３７】
一方、「ファイル名の編集」ボタンや「確定」ボタンが操作されることなく、ユーザーが表示部１５の表示画面をタッチして、ファイル名候補領域を選択すると（ステップＳ１４でＹｅｓと判断されると）、制御部１７は、選択された領域が非選択領域であるか否か（すなわち、ファイル名候補として抽出された領域以外の領域であるか否か）を判断する（ステップＳ１５）。その結果、選択された領域が非選択領域である場合（ステップＳ１５でＹｅｓと判断された場合）には、ステップＳ１６へと処理を進め、後述する実施形態１の処理動作（ファイル名候補の編集処理動作）を実行する。
【００３８】
一方、選択された領域が非選択領域でない場合（ステップＳ１５でＮｏと判断された場合）には、ステップＳ１７へと処理を進め、後述する実施形態２の処理動作（ファイル名候補の編集処理動作）を実行する。
【００３９】
一方、ステップＳ１４において、ファイル名候補の領域以外の領域が選択された場合（ステップＳ１４においてＮｏと判断された場合）には、制御部１７は、その選択が領域指定か否かを判断する（ステップＳ１８）。そして、領域指定である場合（ステップＳ１８でＹｅｓと判断された場合）には、ステップＳ１９へと処理を進め、後述する実施形態３の処理動作（ファイル名候補の編集処理動作）を実行する。
【００４０】
制御部１７は、ステップＳ１６，Ｓ１７，Ｓ１９での処理を実行後、ファイル名候補の選択画面表示を更新して、編集処理後のファイル名候補領域を表示部１５に表示して（ステップＳ２０）、ステップＳ１２の処理に戻る。以後、ステップＳ１２〜ステップＳ２０の処理を繰り返し、ステップＳ１３において「確定」ボタンが押されると、表示部１５に表示されているファイル名候補をファイル名として設定し（ステップＳ２１）、画像データＡと対応付けて記憶部１２に記憶して処理を終了する。
【００４１】
以上が、本実施の形態の画像処理装置１によるファイル名（表題）作成処理の一連の流れである。
【００４２】
次に、表題作成処理の操作画面例を参照して、ステップＳ１６の実施形態１の処理動作、ステップＳ１７の実施形態２の処理動作、ステップＳ１９の実施形態３の処理動作について、さらに詳しく説明する。
【００４３】
＜ステップＳ１６の実施形態１の処理動作の説明＞
図３Ａ、図３Ｂは、実施形態１の処理動作における表題作成処理の編集画面例を示す説明図である。
【００４４】
図３Ａは、文字列群抽出部１４で抽出されたファイル名候補となる文字列群の数、すなわち領域数がステップＳ３で２以上であると判断された場合に、これら２以上の領域がステップＳ１０において順に結合された結果のファイル名候補選択画面の一例を示している。
【００４５】
実施形態１の処理動作は、指示入力部１６により複数の文字列群の中からファイル名候補の文字列群を除く他の文字列群が指示された場合には、指示された文字列群をファイル名候補の文字列群に結合して表示部１５に表示する処理動作である。
【００４６】
具体的に説明すると、図３Ａでは、「○○○○○方式」、「の実施等に関する」という２つの領域（文字列群）がファイル名候補として選択されており、２行目の「×××××××調査の件」はファイル名候補としては選択されていないものとする。この場合、表示部１５の表示画面上では、「○○○○○方式」、「の実施等に関する」という２つの領域に例えば網かけを施す、文字自体の表示色を変える、文字の背景色を他の背景と変える、等の処理を行うことで、ユーザーに対してどの領域（文字列群）がファイル名候補として選択されているのかを明示することができる。すなわち、図３Ａに示す例では、「○○○○○方式の実施等に関する」という一連の文字列群がファイル名候補として選択されていることを示している。
【００４７】
この表示画面を見たユーザーが、２行目に表示されている「×××××××調査の件」の領域（文字列群）もファイル名に加えたいと考えた場合には、この「×××××××調査の件」の領域（文字列群）に指等２０でタッチする。
【００４８】
これにより、図３Ｂに示すように、制御部１７は、すでにファイル名候補として選択されている「○○○○○方式の実施等に関する」の文字列群に、「×××××××調査の件」の文字列群を結合し、「○○○○○方式の実施等に関する×××××××調査の件」という一連の文字列群をファイル名候補として更新表示する。
【００４９】
この後、画面下に表示されている「確定」ボタン１５ａを押すことにより、「○○○○○方式の実施等に関する×××××××調査の件」という文字列群が画像データＡのファイル名として記憶部１２に記憶されることになる。
【００５０】
なお、上記説明では、ファイル名に加えたい領域を指等２０でタッチすることで選択しているが、選択方法としては、一つの文字列群の領域を単にタッチするのではなく、加えたい文字列群の先頭の文字に指等をタッチし、その接触状態で、加えたい文字列群の最後の文字まで指等をスライド移動させ、最後の文字の位置で接触している指等を離すといったドラッグ操作によって、加えたいファイル名の領域（文字列群）を選択するようにしてもよい。図３Ａに示す例で言えば、「×××××××調査の件」の最初の「×」の位置に指等をタッチし、その接触状態で最後の文字の「件」の位置まで指等をスライド移動させた後、指等を離すことにより、「×××××××調査の件」を選択するようにしてもよい。この選択方法によれば、指等を置く位置及び離す位置によって、加えたい文字列群を１文字単位で増減できるので、よりきめ細かくファイル名候補を選択することができる。
【００５１】
＜ステップＳ１７の実施形態２の処理動作の説明＞
図４Ａ、図４Ｂは、実施形態２の処理動作における表題作成処理の編集画面例を示す説明図である。
【００５２】
図４Ａは、文字列群抽出部１４で抽出されたファイル名候補となる文字列群の数、すなわち領域数がステップＳ３で２以上であると判断された場合に、これら２以上の領域がステップＳ１０において順に結合された結果のファイル名候補選択画面の一例を示している。
【００５３】
実施形態２の処理動作は、指示入力部１６によりファイル名候補の複数の文字列群の中から１以上の文字列群が指示された場合には、指示された１以上の文字列群を削除し、削除後に残った文字列群をファイル名候補の文字列群として表示部１５に表示する処理動作である。
【００５４】
具体的に説明すると、図４Ａでは、「△△△設計」、「（プラン）」、「に関する提案書」という３つの領域（文字列群）がファイル名候補として選択されており、２行目の「□□□□□□地域に限定」はファイル名候補としては選択されていないものとする。この場合も、表示部１５の表示画面上では、「△△△設計」、「（プラン）」、「に関する提案書」という３つの領域に例えば網かけを施す、文字自体の表示色を変える、文字の背景色を他の背景と変える、等の処理を行うことで、ユーザーに対してどの領域（文字列群）がファイル名候補として選択されているのかを明示することができる。すなわち、図４Ａに示す例では、「△△△設計（プラン）に関する提案書」という一連の文字列群がファイル名候補として選択されていることを示している。
【００５５】
この表示画面を見たユーザーが、ファイル名候補の中の「（プラン）」の領域（文字列群）をファイル名から除外したいと考えた場合には、この「（プラン）」の領域（文字列群）に指等２０でタッチする。
【００５６】
これにより、図４Ｂに示すように、制御部１７は、すでにファイル名候補として選択されている「△△△設計（プラン）に関する提案書」の文字列群から、「（プラン）」の文字列群を除外（削除）し、「△△△設計に関する提案書」という一連の文字列群をファイル名候補として更新表示する。
【００５７】
この後、画面下に表示されている「確定」ボタン１５ａを押すことにより、「△△△設計に関する提案書」という文字列群が画像データＡのファイル名として記憶部１２に記憶されることになる。
【００５８】
なお、上記説明では、ファイル名から除外したい領域を指等２０でタッチすることで選択しているが、選択方法としては、上記実施形態１と同様にして選択するようにしてもよい。すなわち、図４Ａに示す例で言えば、「（プラン）」の最初の「（」の位置に指等をタッチし、その接触状態で最後の「）」の位置まで指等をスライド移動させた後、指等を離すことにより、除外対象の「（プラン）」を選択するようにしてもよい。この選択方法によれば、指等を置く位置及び離す位置によって、除外したい文字列群を１文字単位で増減できるので、よりきめ細かくファイル名候補を選択することができる。
【００５９】
＜ステップＳ１９の実施形態３の処理動作の説明＞
図５Ａ乃至図５Ｃは、実施形態３の処理動作における表題作成処理の編集画面例を示す説明図である。図５Ａは、文字列群抽出部１４で抽出されたファイル名候補となる文字列群の数、すなわち領域数がステップＳ３で２以上であると判断された場合に、これら２以上の領域がステップＳ１０において順に結合された結果のファイル名候補選択画面の一例を示している。
【００６０】
実施形態３の処理動作は、指示入力部１６により複数の文字列群の中から１または複数の文字列群の領域が指定された場合には、指定された領域の１または複数の文字列群を結合してファイル名候補の文字列群として表示部１５に表示する処理動作である。
【００６１】
具体的に説明すると、図５Ａでは、「○○○試験」、「の実施による」という２つの領域（文字列群）がファイル名候補として選択されており、２行目の「×△□製品の性能評価の報告書」はファイル名候補としては選択されていないものとする。この場合も、表示部１５の表示画面上では、「○○○試験」、「の実施による」という２つの領域に例えば網かけを施す、文字自体の表示色を変える、文字の背景色を他の背景と変える、等の処理を行うことで、ユーザーに対してどの領域（文字列群）がファイル名候補として選択されているのかを明示することができる。すなわち、図５Ａに示す例では、「○○○試験の実施による」という一連の文字列群がファイル名候補として選択されていることを示している。
【００６２】
この表示画面を見たユーザーが、別のファイル名候補を選択したいと考えた場合には、まず、図５Ａに示す「領域指定」ボタン１５ｂにタッチし、次に、図５Ｂに示すように、指定する領域の最初の文字「×」にタッチし、続けて、指定する領域の最後の文字「書」にタッチする。
【００６３】
これにより、制御部１７は、すでにファイル名候補として選択されている「○○○試験の実施による」の文字列群の指定を解除（表示を通常表示に変更）し、開始位置として指定された「×」から終了位置として指定された「書」までの文字列群を行方向に順次選択することにより、図５Ｃに示すように、「×△□製品の性能評価の報告書」という一連の文字列群をファイル名候補として更新表示する。
【００６４】
この後、画面下に表示されている「確定」ボタン１５ａを押すことにより、「×△□製品の性能評価の報告書」という文字列群が画像データＡのファイル名として記憶部１２に記憶されることになる。
【００６５】
なお、上記説明では、領域指定を、開始文字位置と終了文字位置とを順次タッチすることで行っているが、領域の指定方法はこの方法に限定されるものではなく、従来周知の種々の領域指定方法を本発明においても採用することが可能である。例えば、開始位置から終了位置まで指等を接触させた状態で直線的にドラッグ操作することで、開始位置と終了位置とを対角の２点とする四角形で囲まれた領域に含まれる文字列群をファイル名候補として選択するようにしてもよい。
【００６６】
また、上記実施形態３では、最初に選択されたファイル名候補を含まない形で領域指定をしているが、最初に選択されたファイル名候補の全部または一部を含めて領域指定することも当然可能である。
【００６７】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【産業上の利用可能性】
【００６８】
本発明は、複写機、複合機、ファクシミリ装置等の画像形成装置、カメラ付き携帯端末、各種ネットワークに接続可能な機器等、取得した画像データにファイル名を付与して管理する機能を備えた電気／電子機器に関する技術分野全般に寄与するところは大きい。
【符号の説明】
【００６９】
１  画像処理装置
１１  画像取得部
１２  記憶部
１３  文字情報認識部
１４  文字列群抽出部
１５  表示部
１６  指示入力部
１７  制御部
【図１】
2017068355.tif 000003
【図２Ａ】
2017068355.tif 000004
【図２Ｂ】
2017068355.tif 000005
【図３Ａ】
2017068355.tif 000006
【図３Ｂ】
2017068355.tif 000007
【図４Ａ】
2017068355.tif 000008
【図４Ｂ】
2017068355.tif 000009
【図５Ａ】
2017068355.tif 000010
【図５Ｂ】
2017068355.tif 000011
【図５Ｃ】
2017068355.tif 000012